(57)【特許請求の範囲】
【請求項１】
端末の情報制御方法において、
待機モードでＭＤＴ情報を測定する過程と、
前記待機モードで前記端末がセル再選択を行う時に、前記測定されたＭＤＴ情報を前記セル再選択の種類とともに記録する過程と、を含み、
前記セル再選択の種類は、周波数優先順位情報に基づいて決定される、
ことを特徴とする情報制御方法。
【請求項２】
前記待機モードから連結モードに転換されれば、前記記録されたＭＤＴ情報を報告する過程をさらに含むことを特徴とする請求項１に記載の情報制御方法。
【請求項３】
前記連結モードで位置情報を収集する過程と、
前記位置情報が獲得されれば、前記連結モードで測定されるＭＤＴ情報を前記獲得された位置情報とともに報告する過程と、をさらに含むことを特徴とする請求項２に記載の情報制御方法。
【請求項４】
前記報告過程は、
前記測定されるＭＤＴ情報とともに、前記位置情報が獲得された時間情報をさらに報告することを特徴とする請求項３に記載の情報制御方法。
【請求項５】
端末の情報制御装置において、
待機モードでＭＤＴ情報を測定し、前記端末が待機モードでセル再選択を行う時に、前記測定されたＭＤＴ情報を前記セル再選択の種類とともに記録するための制御機と、
前記記録されるＭＤＴ情報を前記セル再選択の種類とともに格納するためのメモリと、をさらに含み、
前記セル再選択の種類は、周波数優先順位情報に基づいて決定される、
ことを特徴とする情報制御装置。
【請求項６】
前記制御機は、
前記待機モードから連結モードに転換されれば、前記記録されたＭＤＴ情報を報告するための送受信機を含むことを特徴とする請求項５に記載の情報制御装置。
【請求項７】
前記制御機は、
前記連結モードで位置情報を収集するための位置受信機をさらに含み、
前記位置情報が獲得されれば、前記連結モードで測定されるＭＤＴ情報を前記獲得された位置情報とともに報告することを特徴とする請求項６に記載の情報制御装置。
【請求項８】
前記制御機は、
前記測定されるＭＤＴ情報とともに、前記位置情報が獲得された時間情報をさらに報告することを特徴とする請求項７に記載の情報制御装置。
【請求項９】
基地局の情報受信方法において、
端末に待機モードで記録されたＭＤＴ情報を要請する過程と、
前記端末で前記記録されたＭＤＴ情報を前記端末で行われたセル再選択の種類とともに受信する過程とを含み、
前記セル再選択の種類は、
周波数優先順位情報に基づいて決定され、
前記端末は、
前記待機モードでＭＤＴ情報を測定し、前記端末が前記待機モードでセル再選択を行う時に、前記測定されたＭＤＴ情報を前記セル再選択の種類とともに記録し、前記待機モードから連結モードに転換されれば、前記記録されたＭＤＴ情報を前記セル再選択の種類とともに報告することを特徴とする情報受信方法。
【請求項１０】
前記端末の前記連結モードで測定されるＭＤＴ情報を前記端末で獲得される位置情報及び前記位置情報が獲得される時間情報とともに受信する過程をさらに含み、
前記端末は、
前記連結モードで前記位置情報が獲得されれば、前記測定されるＭＤＴ情報を前記獲得された位置情報及び前記獲得された時間情報とともに報告することを特徴とする請求項９に記載の情報受信方法。
【請求項１１】
基地局の情報受信装置において、
端末と通信するための送受信機と、
前記端末に待機モードで記録されたＭＤＴ情報を要請し、前記端末で前記記録されたＭＤＴ情報を前記端末で行われたセル再選択の種類とともに受信するための制御機とを含み、
前記セル再選択の種類は、
周波数優先順位情報に基づいて決定され、
前記端末は、
前記待機モードでＭＤＴ情報を測定し、前記端末が前記待機モードでセル再選択を行う時に、前記測定されたＭＤＴ情報を前記セル再選択の種類とともに記録し、前記待機モードから連結モードに転換されれば、前記記録されたＭＤＴ情報を前記セル再選択の種類とともに報告することを特徴とする情報受信装置。
【請求項１２】
前記制御機は、
前記端末の前記連結モードで測定されるＭＤＴ情報を前記端末で獲得される位置情報及び前記位置情報が獲得される時間情報とともに受信し、
前記端末は、
前記連結モードで前記位置情報が獲得されれば、前記測定されるＭＤＴ情報を前記獲得された位置情報及び前記獲得された時間情報とともに報告することを特徴とする請求項１１に記載の情報受信装置。
【発明の詳細な説明】
【技術分野】
【０００１】
本発明は、３ＧＰＰシステムでＭＤＴ（Ｍｉｎｉｍｉｚａｔｉｏｎ  ｏｆ  Ｄｒｉｖｅ  Ｔｅｓｔ）測定情報記録及び報告方法及び装置に関する。
【背景技術】
【０００２】
一般的に移動通信システムは、ユーザの移動性を確保しながら通信を提供するための目的に開発された。このような移動通信システムは、技術の飛躍的な発展に伴い、音声通信はもちろん、高速のデータ通信サービスを提供することができる段階に至った。近年、次世代移動通信システムの１つとして、３ＧＰＰで、ＬＴＥ−Ａ（Ｌｏｎｇ  Ｔｅｒｍ  Ｅｖｏｌｕｔｉｏｎ−Ａｄｖａｎｃｅｄ）に対する規格作業が進行中である。ＬＴＥ−Ａは、２０１０年後半に標準完成を目標とし、現在提供されているデータ伝送率より高い伝送速度を有する高速パケット基盤通信を具現する技術である。
【０００３】
３ＧＰＰ標準が進化するにつれて、通信速度を高めようとする方案以外にも、容易に無線網を最適化させようとする方案が論議中である。一般的に無線網初期構築時または網最適化時に、基地局または基地局制御局は、自分のセルカバレージに対する無線環境情報を収集しなければならないし、これをドライブテスト（Ｄｒｉｖｅ  Ｔｅｓｔ）と言う。従来のドライブテストは、主に測定者が自動車に測定装備を積んで、繰り返し的な測定業務を長時間行わなければならない煩わしさがあった。前記測定された結果は、分析過程を経て各基地局または基地局制御局のシステムパラメータ（Ｐａｒａｍｅｔｅｒ）を設定するのに用いられる。このようなドライブテストは、無線網最適化費用及び運営費用を増加させ、多くの時間を所要する。したがって、ドライブテスト（Ｄｒｉｖｅ  Ｔｅｓｔ）を最小化し、無線環境に対する分析過程及び手動設定を改善させるための研究がＭＤＴ（Ｍｉｎｉｍｉｚａｔｉｏｎ  ｏｆ  Ｄｒｉｖｅ  Ｔｅｓｔ）という名前で進行されている。
【０００４】
このために、ドライブテストの代わりに、端末が無線チャネル測定をしつつ周期的にまたは特定イベント（ｅｖｅｎｔ）が発生するとき、当該無線チャネル測定情報を基地局に即時伝達するか、または無線チャネル測定情報格納後、一定時間経過後、基地局に伝達する。以下では、端末が測定した無線チャネル測定情報及びその他付加情報を基地局に伝送する動作をＭＤＴ測定情報報告と称する。この場合、端末は、基地局と通信が可能であれば、前記チャネル測定結果を即時基地局に伝送するか、または即時報告が不可能な場合、これを記録しつつ、以後に通信が可能になれば、基地局に記録したＭＤＴ測定情報を報告する。それでは、基地局は、端末から受信されたＭＤＴ測定情報をセル領域最適化のために利用する。
【発明の概要】
【発明が解決しようとする課題】
【０００５】
本発明では、ＭＤＴを行う端末が連結／待機モードで記録及び報告する有用な情報を提案する。連結モードでは、端末位置情報を報告するとき、当該情報の有効性を判断するために一緒に位置情報獲得時間を伝達し、待機モードでは、セル再選択（Ｃｅｌｌ  ｒｅｓｅｌｅｃｔｉｏｎ）時点で測定情報を記録する過程とセル再選択の種類を示す指示子を定義する。
【課題を解決するための手段】
【０００６】
前記課題を解決するために、本発明による端末の情報制御方法は、待機モードでＭＤＴ情報を測定する過程と、前記待機モードでセル再選択時に、前記測定されたＭＤＴ情報を記録する過程と、を含むことを特徴とする。
【０００７】
また、前記課題を解決するための本発明による端末の情報制御装置は、待機モードでＭＤＴ情報を測定し、前記待機モードでセル再選択時に、前記測定されたＭＤＴ情報を記録するための制御機と、前記記録されるＭＤＴ情報を格納するためのメモリとをさらに含むことを特徴とする。
【０００８】
また、前記課題を解決するために、本発明による基地局の情報受信方法は、端末の待機モードで記録されたＭＤＴ情報を要請する過程と、前記端末で前記記録されたＭＤＴ情報を前記端末で行われたセル再選択の種類とともに受信する過程とを含み、前記端末は、前記待機モードでＭＤＴ情報を測定し、前記待機モードでセル再選択時に、前記測定されたＭＤＴ情報を前記セル再選択の種類とともに記録し、前記待機モードから連結モードに転換されれば、前記記録されたＭＤＴ情報を前記セル再選択の種類とともに報告することを特徴とする。
【０００９】
さらに、前記課題を解決するために、本発明による基地局の情報受信装置は、端末と通信するための送受信機と、前記端末の待機モードで記録されたＭＤＴ情報を要請し、前記端末で前記記録されたＭＤＴ情報を前記端末で行われたセル再選択の種類とともに受信するための制御機とを含み、前記端末は、前記待機モードでＭＤＴ情報を測定し、前記待機モードでセル再選択時に、前記測定されたＭＤＴ情報を前記セル再選択の種類とともに記録し、前記待機モードから連結モードに転換されれば、前記記録されたＭＤＴ情報を前記セル再選択の種類とともに報告することを特徴とする。
【００１０】
本発明による３ＧＰＰシステムで測定情報を制御する方法及び装置は、端末でＭＤＴ測定情報だけでなく、他の有用な情報をさらに提供することによって、基地局でＭＤＴ測定情報をさらに効率的に利用することができる。
【図面の簡単な説明】
【００１１】
【図１】図１は、ＭＤＴ実行を説明するための概念図である。
【図２】図２は、待機モードで記録後、報告動作でＭＤＴ測定過程を説明するための流れ図である。
【図３】図３は、端末が基地局の要請によって、記録されたチャネル測定情報を報告する過程を詳細に示す図である。
【図４】図４は、ＵＥがｉｍｍｅｄｉａｔｅ  ＭＤＴを行う時に、位置情報収集及び報告過程を説明する図である。
【図５】図５は、ｃｅｌｌ  ｒｅｓｅｌｅｃｔｉｏｎ時点でチャネル測定情報とｃｅｌｌ  ｒｅｓｅｌｅｃｔｉｏｎ種類を記録し、これを基地局に報告する過程を詳細に示す図である。
【図６】図６は、端末動作を示す流れ図である。
【図７】図７は、端末を示すブロック図である。
【発明を実施するための形態】
【００１２】
以下、添付の図面を参照して本発明の好ましい実施例をさらに詳しく説明する。この際、添付の図面において同一の構成要素は、できるだけ、同一の符号で示していることに留意しなければならない。また、本発明の要旨を不明にすることができる公知機能及び構成に関する詳細な説明は省略する。
【００１３】
図１は、ＭＤＴ実行を説明するための概念図である。
【００１４】
図１を参照すれば、既存のドライブテストは、測定装備を積んだ車両１００が音域地域を探して、サービス領域を回りながら、信号状態を測定する。ところが、ＭＤＴで、端末１２０が、測定装備を積んだ車両の代わりに、信号測定を行う。ＮＭＳ  １０５では、ＭＤＴ実行を指示することができる。この際、ＮＭＳ  １０５は、必要なｃｏｎｆｉｇｕｒａｔｉｏｎ情報をＥＭ  １１０に提供する。ＥＭ  １１０は、ＭＤＴ  ｃｏｎｆｉｇｕｒａｔｉｏｎ情報をｅＮＢ  １１５に伝達する。ｅＮＢ  １１５は、１２５段階で、ＵＥ  １２０にＭＤＴ  ｃｏｎｆｉｇｕｒａｔｉｏｎ情報を送り、ＭＤＴを指示する。ＵＥ  １２０は、ＭＤＴ測定情報を収集する。ＭＤＴ測定情報には、信号測定情報のみならず、位置及び時間情報をも含まれることができる。このように収集された情報は、１３０段階で、ｅＮＢ  １１５に報告される。ｅＮＢ  １１５は、収集された情報をＴＣＥ  １３５に伝達する。ＴＣＥ  １３５は、ＭＤＴ測定情報を収集する１つのサーバーである。この際、端末のＲＲＣ状態（ＵＥＲＲＣ  ｓｔａｔｅ）によって基本的なＭＤＴ測定情報報告動作を下記の表１のように分類する。
【００１５】
【表１】
0005922133.tif 000002
【００１６】
前記表１で、端末が基地局と通信をしていない状態を待機モード（ｉｄｌｅ  ｍｏｄｅ）と言い、そうではない場合を連結モード（ｃｏｎｎｅｃｔｅｄ  ｍｏｄｅ）と言う。待機モード状態で、端末は、基地局とチャネル測定情報を記録する。そして、待機モード状態から連結モード状態に転換するとき、端末は、待機モードで記録されたチャネル測定情報を基地局に報告する。一方、連結モード状態時に、端末は、チャネル測定情報を記録し、即時基地局に報告する。
【００１７】
図２は、待機モードで記録後、報告動作でＭＤＴ測定過程を説明するための流れ図である。
【００１８】
図２を参照すれば、基地局２０５は、２１０段階で、連結モードである端末２００にＭＤＴをｃｏｎｆｉｇｕｒｅしながら必要な情報、すなわちチャネル測定構成情報（ＭＤＴ  ｃｏｎｆｉｇｕｒａｔｉｏｎ、以下同一）を伝達する。当該情報は、絶対的時間基準情報、ｓａｍｐｌｉｎｇ  ｃｙｃｌｅ、ｍｅａｓｕｒｅｍｅｎｔ  ｄｕｒａｔｉｏｎなどを含む。絶対的時間基準情報は、当該情報を提供した基地局２０５と当該情報によって測定されて記録されたＭＤＴ測定情報を報告するための基地局を区分するために使用される。Ｓａｍｐｌｉｎｇ  ｃｙｃｌｅは、周期的なダウンリンクパイロット信号測定のために使用され、端末２００は、提供されたｃｙｃｌｅごとにＭＤＴ測定情報を収集し記録する。測定周期（Ｍｅａｓｕｒｅｍｅｎｔ  ｄｕｒａｔｉｏｎ）は、ＭＤＴを行う全体時間である。当該時間が経過すれば、端末２００は、ＭＤＴ実行を中止する。端末２００のＲＲＣ状態が連結モードから待機モードに変更されれば、端末２００は、２１５段階で、ＭＤＴ実行を開始する。２２０段階で、最初ＭＤＴ測定及び記録を実行した後、端末２００は、２２５段階で、続いてＭＤＴ測定及び記録をあらかじめ提供されたｓａｍｐｌｉｎｇ  ｃｙｃｌｅごとに行う。この際、端末２００は、２３０段階のように、各測定サンプルごとに前述したＭＤＴ測定情報を記録する。端末２００が２３５段階で連結モードに転換されれば、端末２００は、２４０段階で、記録したＭＤＴ測定情報があるか否かを基地局２０５に通知する。基地局２０５は、状況によって端末２００にＭＤＴ測定情報の報告を要請することもできる。要請がある場合、今まで記録したＭＤＴ測定情報を報告し、記録された情報を削除する。要請がない場合には、続いて記録情報を維持する。
【００１９】
さらに、端末２００が２４５段階で待機モードに転換され、まだｍｅａｓｕｒｅｍｅｎｔ  ｄｕｒａｔｉｏｎが指示している時間が経過しなければ、端末２００は、２５０段階で、続いてＭＤＴ動作を実行し、ＭＤＴ測定情報を収集する。Ｍｅａｓｕｒｅｍｅｎｔ  ｄｕｒａｔｉｏｎは、連結モードでの時間を考慮してもよく、考慮しなくてもよい。２５５段階で、Ｍｅａｓｕｒｅｍｅｎｔ  ｄｕｒａｔｉｏｎが満了すれば、端末２００は、ＭＤＴ実行を中断する。端末２００が２６０段階で連結モードに転換されれば、端末２００は、２６５段階で、さらに記録したＭＤＴ測定情報があることを基地局に通知し、基地局が要請するとき、記録したＭＤＴ測定情報を報告する過程を行う。
【００２０】
図３は、端末３０５が基地局３１０の要請によって、記録されたチャネル測定情報を報告する過程を詳細に示す図である。
【００２１】
図３を参照すれば、端末３０５は、３１５段階で、基地局３１０との通信のために、アクセス試みをトリガーし、３２０段階で、ランダムアクセスを試みる。その後、端末３０５は、３２５段階で連結モードに進入する。それでは、基地局３１０は、３３０段階でＲＲＣ連結再構成メッセージ（ＲＲＣＣｏｎｎｅｃｔｉｏｎ  Ｒｅｃｏｎｆｉｇｕｒａｔｉｏｎ）を通じて、ＭＤＴ実行のために必要な情報、すなわちチャネル測定構成情報を端末３０５に伝達する。一方、端末３０５は、３３５段階で、ＲＲＣＣｏｎｎｅｃｔｉｏｎ  Ｒｅｃｏｎｆｉｇｕｒａｔｉｏｎメッセージに対する応答メッセージとしてＲＲＣＣｏｎｎｅｃｔｉｏｎ  ＲｅｃｏｎｆｉｇｕｒａｔｉｏｎＣｏｍｐｌｅｔｅメッセージを基地局３１０に伝送する。
【００２２】
その後、端末３０５は、３４０段階で、待機モードに転換される。３４５段階で、ＭＤ  Ｔｍｅａｓｕｒｅｍｅｎｔ実行期間が開始すれば、端末３０５は、３５０段階で、指示された実行期間が終了すれば、３５５段階までＭＤＴ  ｍｅａｓｕｒｅｍｅｎｔを行う。端末３０５は、指示された実行期間が終了すれば、３５５段階で、ＭＤＴ  ｍｅａｓｕｒｅｍｅｎｔを中断する。その後、端末３０５は、３６０段階で、連結モードへの転換を決定し、３６５段階で、ＲＲＣ連結要請メッセージ（ＲＲＣＣｏｎｎｅｃｔｉｏｎＲｅｑｕｅｓｔ）を基地局に伝送する。基地局３１０がこれを許容する場合、基地局３１０は、３７０段階で、ＲＲＣ連結設定メッセージ（ＲＲＣＣｏｎｎｅｃｔｉｏｎＳｅｔｕｐ）を端末３０５に伝送する。連結モードに転換された端末３０５は、３７５段階で、待機モードで記録したチャネル測定情報を有していることを基地局に伝達する。このために、１つの識別子（ｉｎｄｉｃａｔｉｏｎ）をＲＲＣ連結設定完了メッセージ（ＲＲＣＣｏｎｎｅｃｔｉｏｎＳｅｔｕｐＣｏｍｐｌｅｔｅ）に含ませて伝送する。当該識別子を伝送する理由は、端末３０５で記録しているＭＤＴ測定情報があるか否かを基地局３１０に通知し、前記基地局３１０がＭＤＴ測定情報伝送可否に関する要請を決定するように判断根拠を提供するためである。例えば、端末３０５は、一般的に長時間待機モードにあるので、多くの量のチャネル測定情報が記録される。この際、連結モードに転換されれば、端末３０５は、記録情報伝送に多い資源を消耗しなければならない。基地局３１０は、現在無線容量状況などを考慮してＭＤＴ測定情報を報告されるか否かを判断する。
【００２３】
もし、基地局３１０が端末３０５が記録したチャネル測定情報が有用であると判断すれば、基地局３１０は、３８０段階で、端末情報要請メッセージ（ＵＥＩｎｆｏｒｍａｔｉｏｎＲｅｑｕｅｓｔ）を通じてＭＤＴ測定情報を要請する。端末３０５は、基地局３１０から端末情報要請受信時に、３８５段階で、ＭＤＴ測定情報を基地局３１０に伝送する。一般的に記録されたＭＤＴ測定情報が緊急に伝送される必要性が低下するので、伝達過程で他のＲＲＣメッセージ及び一般データとの優先順位を考慮して伝送する必要がある。端末３０５は、３９０段階で、ＭＤＴ測定情報を端末情報応答メッセージ（ＵＥＩｎｆｏｒｍａｔｉｏｎＲｅｓｐｏｎｓｅ）に含ませて基地局３１０に伝達する。端末３０５は、一度基地局３１０に伝達されたＭＤＴ測定情報は、削除することができる。
【００２４】
本発明では、ＭＤＴを行う端末が連結／待機モードで記録及び報告する有用な情報を提案する。連結モードでは、端末位置情報を報告するとき、当該情報の有効性を判断するために一緒に位置情報獲得時間を伝達し、待機モードでは、セル再選択（Ｃｅｌｌ  ｒｅｓｅｌｅｃｔｉｏｎ）時点で測定情報を記録する過程とセル再選択の種類を示す指示子を定義する。
【００２５】
本発明では、端末が連結モードで端末位置情報を報告するとき、当該情報の有効性を判断するために一緒に伝達される位置情報獲得時間を効率的に伝送するための方法を提案する。
【００２６】
ＭＤＴは、端末が連結モード（Ｃｏｎｎｅｃｔｅｄ  ｍｏｄｅ）で行うｉｍｍｅｄｉａｔｅ  ＭＤＴと端末が待機モード（Ｉｄｌｅ  ｍｏｄｅ）で行うｌｏｇｇｅｄ  ＭＤＴとに分けられる。
【００２７】
図４は、端末がｉｍｍｅｄｉａｔｅ  ＭＤＴを行うとき、位置情報収集及び報告過程を説明する図である。
【００２８】
図４を参照すれば、周期的な報告が指示された場合に、端末は、４００、４１５段階のように、一定の間隔ごとに収集されたＭＤＴ測定情報を基地局に報告する。この際、ＧＮＳＳ（Ｇｌｏｂａｌ  ｎａｖｉｇａｔｉｏｎ  ｓａｔｅｌｌｉｔｅ  ｓｙｓｔｅｍｓ）位置情報がない場合、端末は、４０５段階のように、ＭＤＴ測定情報のみを報告する。一方、４１０段階で、ＧＮＳＳ位置情報を収集すれば、端末は、後続の４１５段階で、ＭＤＴ測定情報を位置情報とともに基地局に報告することができる。ここで、端末は、位置情報を無条件含ませるものではなく、一次的に端末で自ら有効であるかどうかを判断する。位置情報の有効性とは、位置情報がＭＤＴ測定情報の報告時点とどれぐらい連関性を有しているかを意味する。基地局は、測定情報を報告するときの端末の位置を知りたい。したがって、位置情報を獲得した時点と報告する時点との差が大きければ、当該位置情報が測定情報を報告するときの端末位置でない確率が高くなる。したがって、位置情報を獲得した時点と報告する時点との差が非常に大きい場合、端末は、次の報告時点で位置情報を含ませなくてもよい。位置情報の包含有無は、ＵＥ  ｉｍｐｌｅｍｅｎｔａｔｉｏｎで具現可能である。もし端末が位置情報を含ませることに決定すれば、ＭＤＴ測定情報及び位置情報の報告時に、端末は、４２０段階のように、位置情報を獲得した時間情報をも一緒に報告する。時間情報は、ＧＮＳＳ位置情報収集時に、一緒に獲得されることができる。時間情報は、基地局で位置情報の有効性を判断するのに使用される。一次的に端末が有効性を判断して位置情報を報告したが、基地局は、二次的に一緒に報告された時間情報に基づいてＧＮＳＳ位置情報の有効性をさらに検証する。
【００２９】
すなわち連結モードで、端末は、ｉｍｍｅｄｉａｔｅ  ＭＤＴを行うことによって、ＭＤＴ測定情報を収集して基地局に報告する。この際、連結モードで、端末は、ＧＮＳＳ位置情報を収集することができる。また、ＧＮＳＳ位置情報が獲得されれば、端末は、ＧＮＳＳ位置情報が獲得される時点の時間情報を決定することができる。これを通じて、連結モードでＧＮＳＳ位置情報が獲得されれば、端末は、ＭＤＴ測定情報をＧＮＳＳ位置情報及び時間情報とともに基地局に報告することができる。ここで、端末は、ＧＮＳＳ位置情報が獲得される時点以後に隣接して到来するＭＤＴ測定情報報告時点にＧＮＳＳ位置情報と時間情報を報告することができる。また、端末は、ＧＮＳＳ位置情報が獲得される時点とＭＤＴ測定情報報告時点を比較し、ＧＮＳＳ位置情報の有効性を判断した後、ＧＮＳＳ位置情報が有効な場合に限ってＧＮＳＳ位置情報と時間情報を報告することができる。さらに、ＧＮＳＳ位置情報と時間情報が受信されれば、基地局は、時間情報でＧＮＳＳ位置情報が獲得された時点を把握することができる。これにより、基地局は、ＧＮＳＳ位置情報が獲得された時点とＭＤＴ測定情報報告時点を比較し、ＧＮＳＳ位置情報の有効性を再び判断した後、ＧＮＳＳ位置情報が有効な場合に限ってＧＮＳＳ位置情報を利用することができる。一方、連結モードでＧＮＳＳ位置情報が獲得されなければ、端末は、ＭＤＴ測定情報を基地局に報告する。
【００３０】
本発明では、待機モードで端末がセル再選択時点で測定情報を記録する過程を定義する。待機モードで、端末は、周期的に測定情報を記録する。連結モードで、端末は、周期的にまたはチャネルＱｏＳ（ＲＳＲＰ／ＲＳＲＱ）が一定の臨界値以下に低下すれば、測定情報を報告する。しかし、このような記録または報告イベントは、サービス領域最適化のために必要な情報を充分に提供するには少し足りない。サービス領域最適化のためには、セル再選択（Ｃｅｌｌ  ｒｅｓｅｌｅｃｔｉｏｎ）時点で記録した情報が有用に使用することができる。セル再選択とは、移動する端末が最もチャネル状態が良好なセルに連結され得るように、端末がサービングセルを再選択する過程である。端末でセル再選択が起きる地点は、サービス領域が変更される部分なので、サービス領域最適化のために、このような情報を追加することは、非常に有用であることができる。すなわち端末は、本発明によってサービングセル（ｓｅｒｖｉｎｇ  ｃｅｌｌ）のＥ−ＣＧＩ、ＲＳＲＰ、ＲＳＲＱ情報、隣接セルのＰＣＩ、ＲＳＲＰ、ＲＳＲＱ情報、記録時点を示す時間情報、記録時点での位置情報などを記録する。その他、端末は、Ｃｅｌｌ  ｒｅｓｅｌｅｃｔｉｏｎが発生したことを通知する指示子をさらに記録する。この際、単純に発生有無のみを通知する指示子を含ませるよりは、端末で発生したＣｅｌｌ  ｒｅｓｅｌｅｃｔｉｏｎの種類を指示して基地局に提供すれば、基地局でサービス領域最適化にこの情報をさらに有用に利用することができる。Ｃｅｌｌ  ｒｅｓｅｌｅｃｔｉｏｎが起きる理由は、大きく、３つであって、下記のように区分される。
【００３１】
−Ｈｉｇｈｅｒ  ｐｒｉｏｒｉｔｙ  ｆｒｅｑｕｅｎｃｙまたはＲＡＴへのＣｅｌｌ  ｒｅｓｅｌｅｃｔｉｏｎ
−同一ｐｒｉｏｒｉｔｙ  ｆｒｅｑｕｅｎｃｙまたはｉｎｔｒａ−ｆｒｅｑｕｅｎｃｙｃｅｌｌへのＣｅｌｌ  ｒｅｓｅｌｅｃｔｉｏｎ
−Ｌｏｗｅｒ  ｐｒｉｏｒｉｔｙ  ｆｒｅｑｕｅｎｃｙまたはＲＡＴへのＣｅｌｌ  ｒｅｓｅｌｅｃｔｉｏｎ  
【００３２】
Ｃｅｌｌ  ｓｅｌｅｃｔｉｏｎ時に、周波数優先順位情報に基づいて、上記３つのｃｅｌｌ  ｓｅｌｅｃｔｉｏｎのうち１つが決定される。端末がこのような３つのＣｅｌｌ  ｒｅｓｅｌｅｃｔｉｏｎの種類を分類し、基地局に通知する場合、基地局は、当該地点で最も強い信号を提供する周波数またはＲＡＴ（Ｒａｄｉｏ  Ａｃｃｅｓｓ  Ｔｅｃｈｎｏｌｏｇｙ）がどれであるかを判断することができる。すなわちＣｅｌｌ  ｒｅｓｅｌｅｃｔｉｏｎの種類を指示する情報は、サービス領域最適化に有用な情報である。
【００３３】
周波数に対する優先順位（ｐｒｉｏｒｉｔｙ）情報は、ＳＩＢを通じてｂｒｏａｄｃａｓｔされるか、またはｄｅｄｉｃａｔｅｄ  ｓｉｇｎａｌｌｉｎｇを通じて、特定端末に提供される。周波数優先順位情報は、端末が特定周波数の測定に影響を与える。現在のサービングセルより高い優先順位を有する周波数に対して端末は、測定（ｍｅａｓｕｒｅｍｅｎｔ）を常時行う。これに対して、サービングセルと同一の周波数（ｉｎｔｒａ−ｆｒｅｑｕｅｎｃｙ）または優先順位が同一であるかまたは低い他の周波数は、端末電力を節約するために当該周波数に対する測定を常時行うものではない。測定実行可否は、サービングセルのチャネルＱｏＳが特定の臨界値より小さいかまたは同一であるときに行う。セル再選択は、チャネル状態が良好なセルに移動するために行うが、現在サービングセルのチャネルＱｏＳが良好であるが、敢えて優先順位が同一であるかまたは低い周波数に移動する理由がない。したがって、不要なチャネル測定による電力消耗を低減するために、特定の臨界値を基準にして測定実行可否を決定するものである。同一の周波数（ｉｎｔｒａ−ｆｒｅｑｕｅｎｃｙ）の場合に、特定の臨界値ＳｉｎｔｒａｓｅａｒｃｈよりサービングセルのＱｏＳが同一であるかまたは低い場合、同一周波数の他のセルに対してチャネル測定を行う。優先順位が同一であるかまたは低い他の周波数に対しては、特定の臨界値ＳｎｏｎｉｎｔｒａｓｅａｒｃｈよりサービングセルのＱｏＳが同一であるかまたは低い場合、当該他の周波数のセルに対してチャネル測定を行う。チャネルＱｏＳは、一般的にＲＳＲＰとＲＳＲＱを考慮する。
【００３４】
このように測定を行いながら、高い優先順位を有する周波数のセルのチャネルＱｏＳが特定の臨界値ＴｈｒｅｓｈＸ−ｈｉｇｈより高くなれば、端末は、高い優先順位を有する周波数のセルをサービングセルとして再選択する。低い優先順位を有する周波数のセルのチャネルＱｏＳが特定の臨界値ＴｈｒｅｓｈＸ−ｌｏｗより高く、サービングセルのＱｏＳがＴｈｒｅｓｈＳｅｒｖｉｎｇ−ｌｏｗより低くなれば、端末は、低い優先順位を有する周波数のセルをサービングセルとして再選択する。同一周波数または同一優先順位を有する周波数の各セルは、チャネルＱｏＳに基づく特定公式によって優先順位を決定するようになる。これをＣｅｌｌ  Ｒａｎｋｉｎｇと称する。
【００３５】
サービングセルに対してＲａｎｋｉｎｇ値は、Ｒｓ＝Ｑｍｅａｓ、ｓ＋Ｑｈｙｓｔ、ｓとして定義される。一方、隣接セルのＲａｎｋｉｎｇ値は、Ｒｎ＝Ｑｍｅａｓ、ｎ＋Ｑｏｆｆｓ、ｎとして定義される。Ｑｍｅａｓ、ｓとＱｍｅａｓ、ｎは、サービングセルと隣接セルのＲＳＲＰ値であり、Ｑｈｙｓｔ、ｓは、サービングセルに適用されるｈｙｓｔｅｒｅｓｉｓ値、Ｑｏｆｆｓ、ｎは、サービングセルと隣接セル間のオフセット値である。Ｒａｎｋｉｎｇ値が大きければ、当該セルは、サービングセルとして選択される。
【００３６】
前述した手続によって、端末がＣｅｌｌ  ｒｅｓｅｌｅｃｔｉｏｎを行う場合、端末は、ＭＤＴのために当該時点での測定情報を記録し、Ｃｅｌｌ  ｒｅｓｅｌｅｃｔｉｏｎの種類に対する指示子をも含ませる。
【００３７】
図５は、端末５０５がＣｅｌｌ  ｒｅｓｅｌｅｃｔｉｏｎ時点でチャネル測定情報とＣｅｌｌ  ｒｅｓｅｌｅｃｔｉｏｎ種類を記録し、これを基地局５１０に報告する過程を詳細に示す図である。
【００３８】
図５を参照すれば、端末５０５は、５１５段階で、基地局５１０との通信のために、アクセス試みをトリガーし、５２０段階で、ランダムアクセスを試みる。その後、端末５０５は、５２５段階で、連結モードに進入する。それでは、基地局５１０は、５３０段階で、ＲＲＣ連結再構成メッセージ（ＲＲＣ  Ｃｏｎｎｅｃｔｉｏｎ  Ｒｅｃｏｎｆｉｇｕｒａｔｉｏｎ）を通じて、ＭＤＴ実行のために必要な情報、すなわちチャネル測定構成情報を端末５０５に伝達する。一方、端末５０５は、５３５段階で、ＲＲＣ  Ｃｏｎｎｅｃｔｉｏｎ  Ｒｅｃｏｎｆｉｇｕｒａｔｉｏｎメッセージに対する応答メッセージとしてＲＲＣ  Ｃｏｎｎｅｃｔｉｏｎ  ＲｅｃｏｎｆｉｇｕｒａｔｉｏｎＣｏｍｐｌｅｔｅメッセージを基地局５１０に伝送する。
【００３９】
その後、端末５０５は、５４０段階で、待機モードに転換され、ＭＤＴ  ｍｅａｓｕｒｅｍｅｎｔ実行期間が開始すれば、５４５段階で、ＭＤＴ  ｍｅａｓｕｒｅｍｅｎｔを行う。端末５０５が移動中に、５５０段階で、Ｃｅｌｌ  ｒｅｓｅｌｅｃｔｉｏｎを行う。行ったＣｅｌｌ  ｒｅｓｅｌｅｃｔｉｏｎは、次の３つのうち１つである。すなわち、
【００４０】
−Ｈｉｇｈｅｒ  ｐｒｉｏｒｉｔｙ  ｆｒｅｑｕｅｎｃｙまたはＲＡＴへのＣｅｌｌ  ｒｅｓｅｌｅｃｔｉｏｎ
−同一ｐｒｉｏｒｉｔｙ  ｆｒｅｑｕｅｎｃｙまたはｉｎｔｒａ−ｆｒｅｑｕｅｎｃｙｃｅｌｌへのＣｅｌｌ  ｒｅｓｅｌｅｃｔｉｏｎ
−Ｌｏｗｅｒ  ｐｒｉｏｒｉｔｙ  ｆｒｅｑｕｅｎｃｙまたはＲＡＴへのＣｅｌｌ  ｒｅｓｅｌｅｃｔｉｏｎ
【００４１】
この際、端末５０５は、５５５段階で、即時ＭＤＴ測定情報と、行ったＣｅｌｌ  ｒｅｓｅｌｅｃｔｉｏｎの種類を記録する。その後、端末５０５は、５６０段階で、連結モードへの転換を決定し、５６５段階で、ＲＲＣ連結要請メッセージ（ＲＲＣＣｏｎｎｅｃｔｉｏｎＲｅｑｕｅｓｔ）を基地局に伝送する。基地局５１０がこれを許容する場合、基地局５１０は、５７０段階で、ＲＲＣ連結設定メッセージ（ＲＲＣＣｏｎｎｅｃｔｉｏｎＳｅｔｕｐ）を端末５０５に伝送する。連結モードに転換された端末５０５は、５７５段階で、待機モードで記録したチャネル測定情報を有していることを基地局に伝達する。このために、１つの識別子（ｉｎｄｉｃａｔｉｏｎ）をＲＲＣ連結設定完了メッセージ（ＲＲＣＣｏｎｎｅｃｔｉｏｎＳｅｔｕｐＣｏｍｐｌｅｔｅ）に含ませて伝送する。当該識別子を伝送する理由は、端末５０５が記録しているＭＤＴ測定情報があるか否かを基地局５１０に通知し、前記基地局５１０がＭＤＴ測定情報伝送可否に関する要請を決定することができるように判断根拠を提供するためである。例えば、端末５０５は、一般的に長時間待機モードにあるので、多くの量のチャネル測定情報が記録される。この際、連結モードに転換されれば、端末５０５は、記録情報伝送に多い資源を消耗しなければならない。基地局５１０は、現在無線容量状況などを考慮して、ＭＤＴ測定情報を報告されるか否かを判断する。もし、基地局５１０が端末５０５が記録したチャネル測定情報が有用であると判断すれば、基地局５１０は、５８０段階で、端末情報要請メッセージ（ＵＥＩｎｆｏｒｍａｔｉｏｎＲｅｑｕｅｓｔ）を通じてＭＤＴ測定情報を要請する。端末５０５は、基地局５１０から端末情報要請受信時に、５８５段階で、ＭＤＴ測定情報を基地局５１０に伝送する。一般的に記録されたＭＤＴ測定情報が緊急に伝送される必要性が低下するので、伝達過程で他のＲＲＣメッセージ及び一般データとの優先順位を考慮して伝送する必要がある。端末５０５は、５９０段階で、ＭＤＴ測定情報を端末情報応答メッセージ（ＵＥＩｎｆｏｒｍａｔｉｏｎＲｅｓｐｏｎｓｅ）に含ませて基地局５１０に伝達する。端末５０５は、一度基地局５１０に伝達されたＭＤＴ測定情報は、削除することができる。
【００４２】
すなわち待機モードで、端末５０５は、ｌｏｇｇｅｄ  ＭＤＴを行うことによって、ＭＤＴ測定情報を収集する。この際、端末５０５は、ｓａｍｐｌｉｎｇ  ｃｙｃｌｅに該当する間隔を周期としてＭＤＴ測定情報を記録する。さらに、待機モードで、端末５０５は、セル再選択時点にＭＤＴ測定情報を追加的に記録する。この際、端末５０５は、ＭＤＴ測定情報をセル再選択の種類とともに記録する。言い換えれば、待機モードでセル再選択時に、端末５０５は、セル再選択の種類を識別し、これを示す情報を記録する。また、待機モードから連結モードに転換されれば、端末５０５は、ＭＤＴ情報とセル再選択の種類を基地局５１０に報告することができる。
【００４３】
図６は、端末動作を示す流れ図である。
【００４４】
図６を参照すれば、端末は、６０５段階で、周波数チャネルをモニタリングする。各周波数及びＲＡＴの優先順位情報は、ＳＩＢを通じてｂｒｏａｄｃａｓｔされるか、または各端末ごとにｄｅｄｉｃａｔｅｄ  ｓｉｇｎａｌｌｉｎｇで端末に通知する。現在の周波数より高い優先順位の周波数は、常時モニタリングされる。Ｉｎｔｒａ−ｆｒｅｑｕｅｎｃｙと同一の優先順位の周波数は、サービングセルのＱｏＳが特定の臨界値以下に低下すればモニタリングされる。優先順位が低い周波数も、サービングセルのＱｏＳが特定の臨界値以下に低下すれば、モニタリングされる。一般的に、一番目の臨界値より二番目の臨界値がさらに低い値を有する。これを通じて、端末は、セル再選択可否を決定する。また、セル再選択が要求されれば、端末は、セル再選択の種類を決定する。また、セル再選択が要求されれば、端末は、６１０段階では、特定規則によって再選択するセルを決定する。このような規則は、前述した。この際、端末は、６１５段階では、再選択されることができるセルが、アクセスが禁止されたセルであるかを確認する。アクセスが禁止されたセルに対するリストは、サービングセルからｂｒｏａｄｃａｓｔされる。また、端末は、６２０段階で、アクセス禁止可否を決定する。もしアクセスが禁止されたセルなら、端末は、６２５段階で、当該セルを再選択セルの候補から除外させる。また、さらに再選択すべきセルを評価する。禁止されたセルではない場合、端末は、６３０段階で、当該セルに再選択を行う。セル再選択が行われば、即時、端末機は、再選択時点でのチャネル測定情報及びＣｅｌｌ  ｒｅｓｅｌｅｃｔｉｏｎの種類を記録として残す。
【００４５】
図７は、端末を示すブロック図である。
【００４６】
図７を参照すれば、端末は、送受信機７００、ＧＮＳＳ受信機７０５、制御機７１５及びメモリ７１０を含む。
【００４７】
送受信機７００は、基地局からＭＤＴ  ｃｏｎｆｉｇｕｒａｔｉｏｎ情報を受信するか、またはＭＤＴ測定情報を収集するのに利用される。ＧＮＳＳ受信機７０５は、衛星信号から端末のＧＮＳＳ位置情報及び時間情報を収集する。制御機７１５は、ＭＤＴ測定情報を収集し、基地局に報告する。この際、制御機７１５は、待機モードでセル再選択時点にＭＤＴ測定情報をセル再選択の種類とともに記録することができる。または、制御機７１５は、連結モードでＭＤＴ測定情報をＧＮＳＳ位置情報及び時間情報とともに報告することができる。メモリ７１０は、ＭＤＴ測定情報を格納する。
【００４８】
すなわち制御機７１５は、待機モードでｌｏｇｇｅｄ  ＭＤＴを行うことによって、ＭＤＴ測定情報を収集する。この際、制御機７１５は、ｓａｍｐｌｉｎｇ  ｃｙｃｌｅに該当する間隔を周期としてＭＤＴ測定情報を記録する。さらに、制御機７１５は、待機モードでセル再選択時点にＭＤＴ測定情報を追加的に記録する。この際、制御機７１５は、ＭＤＴ測定情報をセル再選択の種類とともに記録する。言い換えれば、待機モードでセル再選択時に、制御機７１５は、セル再選択の種類を識別し、これを示す情報を記録する。また、待機モードから連結モードに転換されれば、制御機７１５は、ＭＤＴ情報とセル再選択の種類を基地局に報告することができる。
【００４９】
すなわち連結モードで、制御機７１５は、ｉｍｍｅｄｉａｔｅ  ＭＤＴを行うことによって、ＭＤＴ測定情報を収集し、基地局に報告する。この際、連結モードで、制御機７１５は、ＧＮＳＳ位置情報を収集することができる。また、ＧＮＳＳ位置情報が獲得されれば、制御機７１５は、ＧＮＳＳ位置情報が獲得される時点の時間情報を決定することができる。これを通じて、連結モードでＧＮＳＳ位置情報が獲得されれば、制御機７１５は、ＭＤＴ測定情報をＧＮＳＳ位置情報及び時間情報とともに基地局に報告することができる。ここで、端末は、ＧＮＳＳ位置情報が獲得される時点以後に隣接して到来するＭＤＴ測定情報報告時点にＧＮＳＳ位置情報と時間情報を報告することができる。また、制御機７１５は、ＧＮＳＳ位置情報が獲得される時点とＭＤＴ測定情報報告時点を比較し、ＧＮＳＳ位置情報の有効性を判断した後、ＧＮＳＳ位置情報が有効な場合に限ってＧＮＳＳ位置情報と時間情報を報告することができる。一方、連結モードでＧＮＳＳ位置情報が獲得されなければ、制御機７１５は、ＭＤＴ測定情報を基地局に報告する。
【００５０】
一方、図示してはいないが、基地局は、送受信機と制御機を含む。
【００５１】
送受信機は、端末と通信するのに利用される。すなわち送受信機は、端末にＭＤＴ  ｃｏｎｆｉｇｕｒａｔｉｏｎ情報を送信するか、または端末からＭＤＴ測定情報を受信するのに利用される。制御機は、端末にＭＤＴ測定情報を要請し、端末からＭＤＴ測定情報を受信するように制御する。
【００５２】
一方、本明細書と図面に開示された本発明の実施例は、本発明の技術内容を容易に説明し、本発明の理解を助けるために特定例を提示したものに過ぎず、本発明の範囲を限定しようとするものではない。すなわち本発明の技術的思想に基づく他の変形例が実施可能であるということは、本発明の属する技術分野における通常の知識を有する者に自明である。
【符号の説明】
【００５３】
７００    送受信機
７０５    ＧＮＳＳ受信機
７１０    メモリ
７１５    制御機
【図１】
0005922133.tif 000003
【図２】
0005922133.tif 000004
【図３】
0005922133.tif 000005
【図４】
0005922133.tif 000006
【図５】
0005922133.tif 000007
【図６】
0005922133.tif 000008
【図７】
0005922133.tif 000009